(57)【要約】      （修正有）【課題】便器を取り外すことなく寸法調整を行い、固定できる便器取付フレームの提供。【解決手段】床面に固定される柱と、柱に取り付けられる横材と、からなるフレームと、前記起立部に便器を取り付ける便器取付部材と、便器の下部を支える下部支持材と、を有する便器取付フレームであって、前記下部支持材は、前記横材に固定された第一のネジと、前記第一のネジに取り付けられる調整ナットと、前記調整ナットに、前方からねじ込まれる第二のネジと、からなり、調整ナットを第一のネジにねじ込む量で出しろ寸法を調整し、その後、調整ナットに第二のネジをねじ込み、第一のネジと第二のネジを当接させ固定する、便器取付フレーム。【選択図】図１
2011137284.tif 000002
【特許請求の範囲】
【請求項１】
床面に固定される柱と、柱に取り付けられる横材と、からなるフレームと、
前記起立部に便器を取り付ける便器取付部材と、
便器の下部を支える下部支持材と、を有する便器取付フレームであって
前記下部支持材は、前記横材に固定された第一のネジと、
前記第一のネジに取り付けられる調整ナットと、
前記調整ナットに、前方からねじ込まれる第二のネジと、からなり、
調整ナットを第一のネジにねじ込む量で出しろ寸法を調整し、その後、調整ナットに第二のネジをねじ込み、第一のネジと第二のネジを当接させ、固定することを特徴とする便器取付フレーム。
【請求項２】
第二のネジにすり割りその他の加工を設け、ドライバー等でねじ込みができることを特徴とする請求項１に記載の便器取付フレーム
【発明の詳細な説明】
【技術分野】
【０００１】
本発明は、壁掛け大便器の便器取付けフレームに関する発明である。 
【背景技術】
【０００２】
近年、公共空間において、パネルの背面側に床に固定したフレームを臨ませ、このフレームに対してパネル前面側に便器を取付けることで床面から離間させることが行われている。（例えば、特許文献１参照）
このとき、大便器の先端部分にかかる重量により、大便器には回転モーメントが発生する。そのため、大便器の下部にはこの回転モーメントを受けるための下部受け材が必要となる。また、床や壁面の施工精度により、大便器下部と壁面の寸法が異なるため、下部受け材はその寸法を調整する必要があった。
従来、このような課題を解決するために、穴のあいた平板を棒材のネジ部分に取り付けることで、挟み込む平板の枚数によって棒材のねじ込み可能量を規定し、寸法を調整する構造が知られている。（例えば、特許文献２、図４参照。）。
このような場合、一度平板を挟み込んだ後に、寸法を変更したくなった場合、挟み込む平板の枚数を変更するために、棒材を取り外さねばならないという問題があった。
【先行技術文献】
【特許文献】
【０００３】
【特許文献１】実公昭５５−２０８７２号公報
【特許文献２】特開２００１−７３４３７号公報
【発明の概要】
【発明が解決しようとする課題】
【０００４】
本発明は、上記問題を解決するためになされたもので、本発明の課題は、壁掛け大便器の施工現場において、簡単に調整が行える壁掛け大便器の便器取付けフレームである。
【課題を解決するための手段】
【０００５】
上記目的を達成するために請求項１記載の発明によれば、起立部と床に固定される底部とからなるフレームと、前記起立部に便器を取り付ける便器取付部材と、便器の下部を支える支持材と、を有する便器取付フレームであって、前記支持材は、前記起立部に固定された第一のネジと、前記第一のネジに取り付けられる調整ナットと、前記調整ナットに、前方からねじ込まれる第二のネジと、からなり、調整ナットを第一のネジにねじ込む量で出しろ寸法を調整し、その後、調整ナットに第二のネジをねじ込み、第一のネジと第二のネジを当接させ、固定することを特徴とする便器取付フレームが提供される。
これによれば、大便器フレームに取り付けられた第一のネジに対して、調整ナットをねじ込む量によって調整することが可能となる。位置を調整し、大便器を取り付けた後であっても、第二のネジを緩め、調整ナットのねじ込み量を変更するだけで簡単に調整することが可能である。
【０００６】
また、請求項２記載の発明によれば、第二のネジにすり割りその他の加工を設け、ドライバー等でねじ込みができることを特徴とする請求項１に記載の便器取付フレームが提供される。これによれば、第二のネジのねじ込みにドライバなどの工具が使用でき、より簡単に寸法調整後の固定が可能となる。とくに、便器取付けフレームをパネルなどで覆う場合は、便器取付けフレームに臨む作業空間が狭くなることから、ドライバなどの工具が仕様できることにより作業性が大きく向上する。
【発明の効果】
【０００７】
本発明によれば、調整器具を取り外すことなく寸法調整を行い、固定できるという効果がある。
【図面の簡単な説明】
【０００８】
【図１】本発明の実施例における便器取付フレームの斜視図
【図２】本発明の実施例における便器取付フレームの断面図
【図３】本発明の実施例における便器取付フレームの詳細斜視図
【図４】本発明の実施例における下部横材５４付近の拡大斜視図
【図５】本発明の実施例における第二のネジ３の拡大斜視図
【図６】本発明の実施例における下部支持材７における前出し調整の模式図
【発明を実施するための形態】
【０００９】
以下に、本発明について図を用いて説明を行う。
図１は本発明の実施例における便器取付フレームの斜視図である。４は大便器、５は便器取付フレームを示す。大便器４は便器取付フレーム５に取り付けられており、床から離間した構造となってる。
【００１０】
図２に図１に示した大便器４及び便器取付フレーム５の断面図を示す。便器取付フレーム５は、壁面６の後方に設置され、壁面６に所定の形の開口を開けた上、大便器取付ボルト５１、及び調整ナット２を貫通させて、壁面６より手前にて大便器４の固定を行なう。
また、便器取付フレーム５は、室内に設置し便器への給排水菅と共に、パネルなどで覆うことも可能である。
【００１１】
図３に便器取付フレーム５の詳細斜視図を示す。便器取付けフレーム５は左右に設けられた柱５２と上部横材５３、下部横材５４から構成されており、上部横材５３には左右２本の大便器取付けボルト５１が、下部横材５４には本発明の寸法調整機構７が取り付けられている。便器取付フレーム５の設置は左右の柱５２を床面に固定することによって行われる。
【００１２】
便器取付フレーム５に取り付けられた大便器４はその上部を大便器取付ボルト５１によって固定される。このとき、大便器４の下部は寸法調整機構７と当接しており、大便器４の先端に荷重がかかった際のモーメントは寸法調整機構７を通じて取付けフレーム５に伝達される。
【００１３】
図４に下部横材５４の詳細斜視図を示す。下部横材５４には溶接ナット５５が一体に形成されており、この溶接ナット５５を通じて第一のネジ１、調整ナット２、第二のネジ３とからなる下部支持材７を取付け可能となっている。
第一のネジ１は、下部横材５４の後方から取付け、溶接ナット５５と螺合することで、堅固に取り付けられている。これにより、第一のネジ１は下部横材５４に対して、完全に固定された状態となる。
【００１４】
図５に、下部支持材７における第二のネジ３の拡大図を示す。第二のネジ３にはすり割り３１が設けられており、ねじ込みにあたっては当該すりわりを利用して、ドライバーを使用してねじ込みを行なうことができる。尚すり割りの代わりに、十字穴、六角レンチ穴などを設け、相応した工具を用いてねじ込みできる仕様としてもかまわない。
【００１５】
図６に、本発明の下部支持材７における前出し調整の様子を模式的に示す。
まず、図３（ａ）に示したように、第一のネジ１を調整ナット２にねじ込む。この際、第一のネジ１のねじ込み量を調整し、第一のネジ１のネジ頭１１端部から調整ナット２のナット端面２１までの距離Ａを調整することによって、出しろ寸法、つまりナット端面２１の位置を調整することが可能となる。その際、調整ナット２のねじ込み量によって、ナット端面２１の位置は、壁面６の仕上げ面より若干、突出するよう調整する。
【００１６】
次に、図６（ｂ）に示したように、調整ナット２に第二のネジ３をねじ込む。次いで、図６（ｃ）のように第二のネジ３をねじ込むことで、第一のネジ１と当接させる。さらに、第二のネジ３にトルクをかけてねじ込み、第一のネジ１と、調整ナット２、第二のネジ３各々のねじ部に摩擦力を発生させ、調整ナット１が回転することを防止する。これにより、第一のネジ１が固定され、距離Ａ、つまりナット端面２１の位置が変動することがなくなり、固定される。これにより、調整ナット２がひとりでに回転することがなくなり、大便器４の安全な固定が可能となる。
これら一連の動きにより、第一のネジ１と第二のネジ３の間の距離、つまり下部横材５４から第二のネジ３までの距離を調整することが可能となる。
【００１７】
固定後に、ナット端面２１の位置を調整する必要が生じた場合は、第二のネジ３を緩めて図６（ｂ）のような状態とすることで、第一のネジ１が移動可能となり、調整可能である。
なお、ナット端面２１の位置の調整が終わり、以後調整の必要がない場合には第二のネジ３を接着剤などで固定することによって、より強固に固定することが可能である。
【符号の説明】
【００１８】
１……第一のネジ
１１……ねじ頭
２……調整ナット
２１…ナット端面
３……第二のネジ
３１…すりわり
４……大便器
５……便器取付フレーム
５１…大便器取付ボルト
５２…柱
５３…上部横材
５４…下部横材
５５…溶接ナット
６……壁面
７……下部支持材
【図１】
2011137284.tif 000003
【図２】
2011137284.tif 000004
【図３】
2011137284.tif 000005
【図４】
2011137284.tif 000006
【図５】
2011137284.tif 000007
【図６】
2011137284.tif 000008